(57)【要約】【課題】携帯電話を用いて、テレビ画面上に表示された平面コードを読み取って予約を行うに際し、高いセキュリティ効果と、予約の確実性とを支援する。【解決手段】テレビ１０に表示された平面コードからセキュリティＩＤ及び予約ホームページのＵＲＬを取得して、セキュリティ認証を行い、当該セキュリティ認証が成功した場合に、ＵＲＬにもとづいて予約ホームページへアクセスし、予約情報を入力して、総合予約センタサーバ３０へ送信する平面コードリーダを内蔵した携帯電話機２０と、平面コードリーダを内蔵した携帯電話機２０へ予約ホームページを送信し、平面コードリーダを内蔵した携帯電話機２０から送信されてきた予約情報にもとづいて仮予約登録を行い、かつ、予約先の管理者の携帯電話機４０から予約完了入力を受ける総合予約センタサーバ３０とを有することを特徴とする携帯電話機を用いた簡易予約システム。【選択図】      図１
2004192149.tif 000002
【特許請求の範囲】
【請求項１】
テレビの画面上に表示された平面コードを読み取って、予約ホームページにアクセスし、予約を行う携帯電話機を用いた簡易予約システムであって、
前記平面コードの表示を行う番組を受信する前記テレビと、
前記平面コードからセキュリティＩＤ及び前記予約ホームページのＵＲＬを取得して、このセキュリティＩＤにもとづきセキュリティ認証を行い、当該セキュリティ認証が成功した場合に、前記ＵＲＬにもとづいて前記予約ホームページへアクセスし、当該予約ホームページから予約情報を入力して、総合予約センタサーバへ送信する平面コードリーダを内蔵した携帯電話機と、
前記平面コードリーダを内蔵した携帯電話機へ前記予約ホームページを送信し、前記平面コードリーダを内蔵した携帯電話機から送信されてきた予約情報にもとづいて仮予約登録を行い、かつ、予約先の管理者の携帯電話機から予約完了入力を受ける前記総合予約センタサーバとを有する
ことを特徴とする携帯電話機を用いた簡易予約システム。
【請求項２】
前記総合予約センタサーバが、前記平面コードリーダを内蔵した携帯電話機による前記予約ホームページからの予約情報の送信に先立って、個人認証を実行し、
前記平面コードリーダを内蔵した携帯電話機が、前記個人認証が成功した場合に、前記予約情報を前記総合予約センタサーバへ送信する
ことを特徴とする請求項１記載の携帯電話機を用いた簡易予約システム。
【請求項３】
前記総合予約センタサーバが、前記仮予約登録を行うとともに、前記平面コードリーダを内蔵した携帯電話機及び前記予約先の管理者の携帯電話機へ仮予約メールを送信し、かつ、前記予約先の管理者の携帯電話機から予約完了入力を受けると、前記平面コードリーダを内蔵した携帯電話機及び前記予約先の管理者の携帯電話機へ予約完了メールを送信する
ことを特徴とする請求項１又は２記載の携帯電話機を用いた簡易予約システム。
【請求項４】
前記テレビの画面に表示されている番組が、ＣＳ放送、ＢＳ放送、有線放送を含む各種放送における予約専門チャンネルである
ことを特徴とする請求項１〜３のいずれかに記載の携帯電話機を用いた簡易予約システム。
【請求項５】
前記総合予約センタサーバが、前記番組の放送中に、前記平面コードが有する情報に相当する情報を、前記平面コードリーダを内蔵した携帯電話機へ送信する
ことを特徴とする請求項１〜４のいずれかに記載の携帯電話機を用いた簡易予約システム。
【請求項６】
前記平面コードが、バーコードであることを特徴とする請求項１〜５のいずれかに記載の携帯電話機を用いた簡易予約システム。
【請求項７】
テレビ画面上に表示されたバーコードを読み取って、予約ホームページにアクセスし、予約を行う携帯電話機を用いた簡易予約方法であって、
バーコードリーダを内蔵した携帯電話機が、前記バーコードからセキュリティＩＤ及び前記予約ホームページのＵＲＬを取得して、このセキュリティＩＤにもとづきセキュリティ認証を行い、当該セキュリティ認証が成功した場合に、前記ＵＲＬにもとづいて前記予約ホームページにアクセスし、
総合予約センタサーバが、前記バーコードリーダを内蔵した携帯電話機による前記予約ホームページからの予約情報の送信に先立って、個人認証を実行し、
前記バーコードリーダを内蔵した携帯電話機が、前記個人認証が成功した場合に、前記予約情報を前記総合予約センタサーバへ送信し、
前記総合予約センタサーバが、送信されてきた前記予約情報にもとづいて、仮予約登録を行うとともに、前記バーコードリーダを内蔵した携帯電話機及び予約先の管理者の携帯電話機へ仮予約メールを送信し、
前記予約先の管理者の携帯電話機が、前記総合予約センタサーバへ予約完了入力を送信し、
前記総合予約センタサーバが、前記予約完了入力が送信されてくると、前記バーコードリーダを内蔵した携帯電話機及び前記予約先の管理者の携帯電話機へ予約完了メールを送信する
ことを特徴とする携帯電話機を用いた簡易予約方法。
【請求項８】
バーコードリーダを内蔵した携帯電話機に、テレビ画面上に表示されたバーコードから読み取った情報にもとづき予約ホームページにアクセスさせ、予約を行わせる携帯電話機を用いた簡易予約プログラムであって、
前記バーコードリーダを内蔵した携帯電話機に、
前記バーコードからセキュリティＩＤ及び前記予約ホームページのＵＲＬを取得させて、このセキュリティＩＤにもとづきセキュリティ認証を行わせ、当該セキュリティ認証が成功した場合に、前記ＵＲＬにもとづいて、前記総合予約センタサーバから前記予約ホームページを受信させて、当該予約ホームページから入力された予約情報を総合予約センタサーバへ送信させる
ことを実行させるための携帯電話機を用いた簡易予約プログラム。
【発明の詳細な説明】
【０００１】
【発明の属する技術分野】
本発明は、テレビ画面上に表示されたバーコードを読み取って、予約ホームページにアクセスし、予約を行う携帯電話機を用いた簡易予約システム、方法、及びプログラムに関する。
【０００２】
【従来の技術】
従来、テレビ番組において、ホテルや宿、レストラン、コンサートチケット等の予約情報の提供が行われる場合、その予約を受け付ける電話番号やファクシミリ番号等が、番組上で表示されていたが、近年のインターネットの発達に伴い、予約を受け付けるＵＲＬ（ｕｎｉｆｏｒｍ  ｒｅｓｏｕｒｃｅ  ｌｏｃａｔｏｒ）や電子メールアドレスが表示されることも多くなってきている。
このようなインターネットを用いて、予約を受け付ける場合、予約者は、予約内容について、さらに詳細な情報をホームページから受け取ることができ、また、テレビ番組が終わった後であっても、いつでもその詳細な情報を参照することが可能となり、予約者にとっての利便性が向上するとともに、予約先の管理者にとっても、より柔軟な予約の機会を提供することができるため、大変有効なものと考えられている。
【０００３】
しかし、実際には、このようなインターネットを用いて予約を行う予約者は、少数派であり、予約者の多くが電話を用いて予約を行っているというのが現状である。
その理由は、パーソナルコンピュータなどのインターネットへの接続機器が、必ずしも十分に普及していないこと、インターネットによる予約は、電話に比べて操作が面倒であることなどを挙げることができる。
【０００４】
このような状況において、商品購入に関し、携帯電話機を用いて商品情報とその商品を販売している事業者情報を表現するバーコード等を読み取って、商品の購入を可能とする技術が提案されている（例えば、特許文献１参照。）。
また、携帯電話機を用いてＵＲＬ等を含む二次元コードを読み取って、商品等の販売を行うことを可能とする技術も提案されている（例えば、特許文献２参照。）。
【０００５】
【特許文献１】
特開２００２−１２３７１９号公報
【特許文献２】
特開２００２−９９８２４号公報
【０００６】
【発明が解決しようとする課題】
しかしなから、このような従来の方法によれば、利用可能な携帯電話機を特定のものに限定することができないため、高いセキュリティ効果が得られないという問題があった。
また、商品の販売を目的とするものであり、予約に特化したものでないため、予約に適した仕組みを提供するものではなかった。
【０００７】
本発明は、上記の事情にかんがみなされたものであり、テレビ画面上に表示されたバーコードを読み取って、セキュリティ認証を行うとともに、確実な予約を行うために必要な所定の手続きを実行する携帯電話機を用いた簡易予約システム、方法、及びプログラムの提供を目的とする。
【０００８】
【課題を解決するための手段】
上記目的を達成するため、本発明の請求項１記載の携帯電話機を用いた簡易予約システムは、テレビの画面上に表示された平面コードを読み取って、予約ホームページにアクセスし、予約を行う携帯電話機を用いた簡易予約システムであって、平面コードの表示を行う番組を受信するテレビと、平面コードからセキュリティＩＤ及び予約ホームページのＵＲＬを取得して、このセキュリティＩＤにもとづきセキュリティ認証を行い、当該セキュリティ認証が成功した場合に、ＵＲＬにもとづいて予約ホームページへアクセスし、当該予約ホームページから予約情報を入力して、総合予約センタサーバへ送信する平面コードリーダを内蔵した携帯電話機と、平面コードリーダを内蔵した携帯電話機へ予約ホームページを送信し、平面コードリーダを内蔵した携帯電話機から送信されてきた予約情報にもとづいて仮予約登録を行い、かつ、予約先の管理者の携帯電話機から予約完了入力を受ける総合予約センタサーバとを有する構成としてある。
【０００９】
携帯電話機を用いた簡易予約システムをこのような構成にすれば、平面コードに記録されているセキュリティＩＤを、平面コードリーダを内蔵した携帯電話機に登録されているセキュリティＩＤと照合することによって、予約に利用可能な携帯電話機を特定することができる。
このため、事前に利用登録のされた携帯電話機を用いて、特定の会員などからの予約のみを受け付けることが可能となり、セキュリティ効果の高い簡易予約システムを提供することが可能となる。
【００１０】
また、総合予約センタサーバによって、平面コードリーダを内蔵した携帯電話機からの予約を受け付けるとともに、この平面コードリーダを内蔵した携帯電話機と予約先の管理者の携帯電話機との予約のやり取りを仲介することによって、確実な予約を支援することが可能となる。
さらに、このように予約先の管理者は、携帯電話機を用いて予約の受付を行うことができ、簡易予約システム自体は、総合予約センタサーバにおいて管理してもらうことができるため、ＩＴの導入が困難な予約先であっても、携帯電話機さえあれば、簡単にＩＴを導入することが可能となる。
【００１１】
なお、総合予約センタサーバは、一台のサーバであっても、機能毎に複数のサーバから構成するものとしてもよい。
例えば、総合予約センタサーバを、後述の個人認証を行う認証サーバや、予約を担当する予約サーバ、メールの送受信を行うメールサーバから構成するようにすることができる。
また、平面コードとは、バーコードや二次元コード、二次元シンボル等を含むものとして用いている。
【００１２】
本発明の請求項２記載の携帯電話機を用いた簡易予約システムは、総合予約センタサーバが、平面コードリーダを内蔵した携帯電話機による予約ホームページからの予約情報の送信に先立って、個人認証を実行し、平面コードリーダを内蔵した携帯電話機が、個人認証が成功した場合に、予約情報を総合予約センタサーバへ送信する構成としてある。
【００１３】
携帯電話機を用いた簡易予約システムをこのような構成にすれば、セキュリティ認証を正常に通過した携帯電話機によるアクセスに対して、さらに個人認証を実行することができる。
このため、例えば、当該平面コードリーダを内蔵した携帯電話機を拾得した者が、不正に予約を行おうとした場合、セキュリティ認証を正常に通過することは可能であるが、個人認証によって、その予約を防止することが可能となる。
なお、この個人認証とは、個人を識別するためのＩＤとパスワードによる一般的なものとすることができる。
また、この個人認証にあたり、認証のための画面を総合予約センタサーバから平面コードリーダを内蔵した携帯電話機に送信して、これを用いて、平面コードリーダを内蔵した携帯電話機に入力された上記ＩＤ及びパスワードを、総合予約センタサーバへ送信するようにすることができる。
【００１４】
本発明の請求項３記載の携帯電話機を用いた簡易予約システムは、総合予約センタサーバが、仮予約登録を行うとともに、平面コードリーダを内蔵した携帯電話機及び予約先の管理者の携帯電話機へ仮予約メールを送信し、かつ、予約先の管理者の携帯電話機から予約完了入力を受けると、平面コードリーダを内蔵した携帯電話機及び予約先の管理者の携帯電話機へ予約完了メールを送信する構成としてある。
【００１５】
携帯電話機を用いた簡易予約システムをこのような構成にすれば、予約者による予約の申込みに対して、予約先の管理者が、携帯電話機を用いて、仮予約メールを受信して参照し、予約者に確認を行った後に、予約完了入力を行って予約を確定させることができる。
また、この予約完了入力にもとづいて、予約者及び予約先の管理者の双方に予約完了メールが自動的に送信されるため、双方にとって安心感が高く、かつ、利便性の高い簡易予約システムとすることができる。
さらに、予約先の管理者にとっては、携帯電話機のみを用いてインターネットを介した予約受付を行うことができ、ＩＴを導入することなく同様の効果を得ることが可能となる。
【００１６】
本発明の請求項４記載の携帯電話機を用いた簡易予約システムは、テレビの画面に表示されている番組が、ＣＳ放送、ＢＳ放送、有線放送を含む各種放送における予約専門チャンネルである構成としてある。
携帯電話機を用いた簡易予約システムをこのような構成にすれば、特に各種予約の提供を行うための予約専門チャンネルにおいて、当該システムの効果を得ることが可能となり、その利便性を向上させるとともに、予約件数を向上させることも可能となる。
【００１７】
本発明の請求項５記載の携帯電話機を用いた簡易予約システムは、総合予約センタサーバが、番組の放送中に、平面コードが有する情報に相当する情報を、平面コードリーダを内蔵した携帯電話機へ送信する構成としてある。
携帯電話機を用いた簡易予約システムをこのような構成にすれば、当該平面コードリーダを内蔵した携帯電話機は、送信されてきた情報に含まれるセキュリティＩＤによってセキュリティ認証を実行し、認証に成功した場合、その情報に含まれるＵＲＬにもとづいて、予約ホームページへアクセスすることが可能となる。
これによって、テレビ番組を見ることのできない状況であっても、総合予約センタサーバにより上記平面コードが有する情報に相当する情報を携帯電話機に送信することによって、テレビ画面上に表示された平面コードリーダを読み取る場合と同等の効果を得ることが可能となる。
【００１８】
本発明の請求項６記載の携帯電話機を用いた簡易予約システムは、平面コードが、バーコードである構成としてある。
携帯電話機を用いた簡易予約システムをこのような構成にすれば、平面コードとして広く普及しているバーコードを、平面コードリーダとしてバーコードリーダを使用することができる。
このため、当該平面コードリーダを内蔵した携帯電話機を比較的安価に製造することができる。
【００１９】
本発明の請求項７記載の携帯電話機を用いた簡易予約方法は、テレビ画面上に表示されたバーコードを読み取って、予約ホームページにアクセスし、予約を行う携帯電話機を用いた簡易予約方法であって、バーコードリーダを内蔵した携帯電話機が、バーコードからセキュリティＩＤ及び予約ホームページのＵＲＬを取得して、このセキュリティＩＤにもとづきセキュリティ認証を行い、当該セキュリティ認証が成功した場合に、ＵＲＬにもとづいて予約ホームページにアクセスし、総合予約センタサーバが、バーコードリーダを内蔵した携帯電話機による予約ホームページからの予約情報の送信に先立って、個人認証を実行し、バーコードリーダを内蔵した携帯電話機が、個人認証が成功した場合に、予約情報を総合予約センタサーバへ送信し、総合予約センタサーバが、送信されてきた予約情報にもとづいて、仮予約登録を行うとともに、バーコードリーダを内蔵した携帯電話機及び予約先の管理者の携帯電話機へ仮予約メールを送信し、予約先の管理者の携帯電話機が、総合予約センタサーバへ予約完了入力を送信し、総合予約センタサーバが、予約完了入力が送信されてくると、バーコードリーダを内蔵した携帯電話機及び予約先の管理者の携帯電話機へ予約完了メールを送信する方法としてある。
【００２０】
携帯電話機を用いた簡易予約方法をこのような方法にすれば、バーコードリーダから読み取られたセキュリティＩＤにもとづいて、携帯電話機のセキュリティ認証を行うとともに、予約ホームページにおける予約に先立って個人認証を実行することにより、高いセキュリティ効果を付与することが可能となる。
また、総合予約センタサーバが、バーコードリーダを内蔵した携帯電話機からの予約情報にもとづいて、仮予約メールを、バーコードリーダを内蔵した携帯電話機及び予約先の管理者の携帯電話機の双方に送信するとともに、予約先の管理者の携帯電話機からの予約完了入力にもとづいて、予約完了メールを、バーコードリーダを内蔵した携帯電話機及び予約先の管理者の携帯電話機の双方に送信することにより、予約の確実性を高めることが可能となる。
【００２１】
本発明の請求項８記載の携帯電話機を用いた簡易予約プログラムは、バーコードリーダを内蔵した携帯電話機に、テレビ画面上に表示されたバーコードから読み取った情報にもとづき予約ホームページにアクセスさせ、予約を行わせる携帯電話機を用いた簡易予約プログラムであって、バーコードリーダを内蔵した携帯電話機に、バーコードからセキュリティＩＤ及び予約ホームページのＵＲＬを取得させて、このセキュリティＩＤにもとづきセキュリティ認証を行わせ、当該セキュリティ認証が成功した場合に、ＵＲＬにもとづいて、総合予約センタサーバから予約ホームページを受信させて、当該予約ホームページから入力された予約情報を総合予約センタサーバへ送信させる構成としてある。
【００２２】
携帯電話機を用いた簡易予約プログラムをこのような構成にすれば、バーコードリーダを内蔵した携帯電話機に、テレビ画面上から読み取ったバーコードに含まれるセキュリティＩＤにもとづいて、携帯電話機のセキュリティ認証を行わせることができる。
これにより、特定の番組に対して予約を行うことの可能な携帯電話機を特定のものに制限することが可能となるため、携帯電話機を用いた簡易予約システムに、高いセキュリティ効果を与えることが可能となる。
【００２３】
【発明の実施の形態】
以下、本発明の実施形態につき、図１を参照して説明する。同図は、本発明の実施形態の携帯電話機を用いた簡易予約システムの構成を示すブロック図である。
図１に示すように、携帯電話機を用いた簡易予約システムは、テレビ１０、バーコードリーダを内蔵した携帯電話機２０（以下、単に携帯電話機２０と称する場合がある。）、総合予約センタサーバ群３０、予約先の管理者の携帯電話機４０（以下、単に携帯電話機４０と称する場合がある。）、基地局５０、携帯電話センタ６０、及び通信回線７０を有している。
【００２４】
テレビ１０は、テレビ局で放送された番組を映し出す装置である。このテレビ１０は、放送番組を表示可能であれば、特に限定されるものではなく、アナログ放送の他、デジタル放送、ＢＳ放送、ＣＳ放送、有線放送等のいずれを表示するものであってもかまわない。また、これらを表示可能なプロジェクタなどであってもよい。
このテレビ１０は、一般的な放送番組の他、予約が必要なコンテンツを提供する番組も表示する。
【００２５】
この予約が必要なコンテンツを提供する番組（以下、予約チャンネルと称する場合がある。）は、上述のいずれの放送のものであってもよいが、特に予約専門チャンネルであることが好ましく、その放送は、このような予約専門チャンネルの放送を行うＣＳ放送、有線放送、デジタル放送等であることが好ましい。
予約チャンネルは、予約内容を詳細に紹介するとともに、画面上にバーコード１１を表示する。
【００２６】
このバーコードには、セキュリティＩＤとＵＲＬが含まれている。
セキュリティＩＤは、予約チャンネルの内容に関して、予約を行うことの可能な携帯電話機を特定するためのＩＤである。
ＵＲＬとは、当該予約チャンネルで紹介された予約内容を詳細に紹介するとともに、予約の受付を行うホームページのアドレスを示すものである。
【００２７】
なお、予約チャンネルとしては、例えば、ホテルや宿、レストラン、コンサートチケット等を紹介するとともに、予約を受け付けるためのものとすることができる。
また、テレビ画面上におけるバーコードの表示位置は、任意の位置であってよく、例えば、図１に示すように画面上の右上の位置とすることができる。
【００２８】
携帯電話機２０は、予約者が使用する携帯電話機であり、バーコードリーダ２１を有している。このバーコードリーダ２１としては、例えば、赤外線を利用したものとすることができる。
携帯電話機２０は、バーコードリーダ２１によって、テレビ１０の画面上に表示されたバーコード１１を読み取る。また、携帯電話機２０は、この読み取ったバーコード１１からセキュリティＩＤ、及びＵＲＬを抽出し、セキュリティＩＤにもとづいて、セキュリティ認証を行う。
【００２９】
このセキュリティ認証は、例えば、携帯電話機２０にあらかじめセキュリティＩＤを記憶させておくことによって、バーコード１１から読み取ったセキュリティＩＤと、携帯電話機２０に記憶されているセキュリティＩＤが一致した場合に、認証成功とすることができる。
また、このセキュリティＩＤを時間ごとに変化させるものとすることも好ましい。例えば、テレビ１０に表示するバーコード１１におけるセキュリティＩＤを複数用意して、１時間毎に所定の順で変化させるとともに、携帯電話機２０におけるセキュリティＩＤについても、同一のタイミングで認証に使用するセキュリティＩＤを変更することによって行うことができる。これにより、一層セキュリティ効果を向上させることが可能となる。
【００３０】
さらに、携帯電話機２０は、バーコード１１から抽出したＵＲＬにもとづいて、予約ホームページへアクセスし、これを携帯電話機２０の表示画面上に表示する。
そして、予約に先立ち必要な個人認証のための情報を入力して、これを総合予約センタサーバ群３０へ送信し、総合予約センタサーバ群３０により個人認証を受ける。
【００３１】
個人認証に成功した場合、携帯電話機２０は、入力された予約情報を総合予約センタサーバ群３０へ送信して、総合予約センタサーバ群３０により仮予約の登録を受けることができる。
個人認証に失敗した場合は、総合予約センタサーバ群３０からその旨を受信して、再度個人認証のための情報を入力するようにすることができる。
この個人認証は、個人を識別するためのＩＤとパスワードによる一般的なものとすることができる。
また、携帯電話機２０は、総合予約センタサーバ群３０から仮予約メール及び予約完了メールを受信する。
【００３２】
総合予約センタサーバ群３０は、予約サーバ３１、個人認証サーバ３２、及びメールサーバ３３を有している。
予約サーバ３１は、予約ホームページを有しており、携帯電話機２０などからのアクセスを受ける。また、予約情報を登録するための予約登録ＤＢ３１ａを有している。
予約登録ＤＢ３１ａは、予約に必要な予約名や予約者情報、予約日時、予約人数等の情報を保有する。また、その予約が、仮予約であるか、予約が完了したものであるかを識別する情報も保有する。
【００３３】
予約サーバ３１は、携帯電話機２０からのアクセスに対して、予約ホームページを携帯電話機２０へ送信する。また、この予約ホームページから予約を行うにあたり、個人認証の実行を個人認証サーバ３２へ依頼する。
この個人認証の実行は、予約ホームページを利用する際のはじめに行うようにしても、携帯電話機２０から総合予約センタサーバ群３０に、予約情報を実際に送信する際に、その送信に先立って行うようにしてもよい。例えば、予約情報の入力を行う前に、個人認証画面を表示させて、個人認証を行わせるようにすることができる。
後者の方法は、予約内容を参照した上で、実際に予約を行う場合にのみ個人認証を実行することができるため、予約を行わない場合の認証を省略することができる点で好ましい。
【００３４】
また、予約サーバ３１は、携帯電話機２０から予約情報が送信されてくると、これを仮予約として予約登録ＤＢ３１ａに登録し、かつ、携帯電話機２０及び予約先の管理者の携帯電話機である携帯電話機４０の双方に、仮予約メールを送信する。
この仮予約メールは、予約者によって仮予約が行われたことを、予約者に確認するとともに、予約先の管理者に知らせるためのものである。
また、携帯電話機４０から予約完了入力を受けた場合、仮予約登録された予約情報を予約完了として更新し、かつ、携帯電話機２０及び携帯電話機４０の双方に、予約完了メールを送信する。
この予約完了メールは、予約者及び予約先の管理人の双方に予約が完了したことを知らせるためのものである。
【００３５】
なお、携帯電話機４０からの予約完了入力は、例えば、特定の電子メールを携帯電話機４０から予約サーバ３１へ送信することによって、予約サーバ３１に自動的に行わせるようにすることができる。
また、携帯電話機４０が、予約ホームページにアクセスして、対象となる仮予約情報を特定し、これに予約完了を示す入力を行って予約サーバ３１へ送信することにより、予約サーバ３１が仮予約登録された予約情報を予約完了として更新するようにすることができる。
【００３６】
個人認証サーバ３２は、携帯電話機２０からの予約ホームページへのアクセスに対して、予約を許可するか否かを判断するために、個人認証を実行する。個人認証サーバ３２は、この個人認証を行うために利用可能な、予約者の個人情報を保有する個人情報管理ＤＢ３２ａを有している。
この個人情報管理ＤＢ３２ａに管理される情報としては、個人認証に必要な予約者を識別するためのＩＤ、及びパスワードを挙げることができる。
その他、予約者の氏名、住所、電子メールアドレス等の個人情報を、予約者ごとに蓄積するようにすることができる。
【００３７】
メールサーバ３３は、予約サーバ３１が携帯電話機２０及び携帯電話機４０に仮予約メール又は予約完了メールを送信するにあたり、その送信命令を受け取って、これらのメールを携帯電話機２０及び携帯電話機４０に送信する。
なお、本実施形態においては、総合予約センタサーバ群３０の機能を、予約サーバ３１、個人認証サーバ３２、及びメールサーバ３３に分割しているが、システム規模などに応じて、これらを統合して一台のサーバの機能としてもよい。
携帯電話機４０は、予約先の管理者が使用する携帯電話機であり、通話機能の他、電子メールサービスを利用可能なものであれば、どのようなものであってもかまわない。また、インターネットへ接続して、予約ホームページを表示可能なブラウザを有するものであればより好ましい。
【００３８】
基地局５０及び携帯電話センタ６０は、携帯電話機による通話や、インターネットへのアクセスを仲介する装置である。
通信回線７０は、従来公知の任意好適な公衆回線、商業回線又は専用回線を用いることができる。また各携帯電話機及び総合予約センタサーバ群３０のそれぞれの間においては、同一又は別個の通信回線で構成することができる。
さらに、通信回線７０は、各携帯電話機及び総合予約センタサーバ群３０のそれぞれの間を、無線あるいは有線で接続可能な回線であり、例えば、公衆回線網、専用回線網、インターネット回線網及びイントラネット網により構成することができる。
【００３９】
次に、本実施形態の携帯電話機を用いた簡易予約システムにおける処理手順について、図２の動作手順図を参照して説明する。
まず、テレビ１０が、バーコード１１を表示した予約チャンネルの放送番組を表示する（ステップ１０）。
予約者は、その番組を視聴して、予約を行いたい場合、携帯電話機２０を用いて予約を行う。
すなわち、携帯電話機２０は、バーコードリーダ２１を介してバーコード１１を読み込む（ステップ１１）。
そして、このバーコード１１からセキュリティＩＤ及びＵＲＬを取得する（ステップ１２）。
【００４０】
次に、携帯電話機２０は、取得したセキュリティＩＤを用いて、セキュリティ認証を行う（ステップ１３）。セキュリティ認証は、携帯電話機２０が、その予約チャンネルについての予約を行うことが可能な携帯電話機２０であるかどうかを判断するために行う。
このセキュリティ認証のために、携帯電話機２０には、上述のようにあらかじめセキュリティＩＤを設定する。また、このセキュリティＩＤは、特定の一のＩＤの他、時間条件等によって変化するものであることがより好ましい。
【００４１】
セキュリティ認証が成功した携帯電話機２０は、次に、総合予約センタサーバ群３０における予約サーバ３１へアクセスする（ステップ１４）。このアクセスは、上記バーコード１１から取得したＵＲＬにもとづいて行われる。
予約サーバ３１は、携帯電話機２０に個人認証画面を送信する（ステップ１５）。このとき、予約サーバ３１は、個人認証サーバ３２に携帯電話機２０への個人認証画面の送信を依頼することができる。
また、予約サーバ３１が、携帯電話機２０に、まず予約内容を表示する画面を送信し、携帯電話機２０からの個人認証要求を受けた後に、個人認証画面を送信するようにすることも好ましい。
【００４２】
携帯電話機２０は、予約者による個人認証ＩＤ及びパスワードの入力を行い、これを個人認証サーバ３２へ送信する（ステップ１６）。個人認証サーバ３２は、送信されてきた個人認証ＩＤ及びパスワードが、個人情報管理ＤＢ３２ａに登録されているかどうかを確認することによって、個人認証を実行する（ステップ１７）。
【００４３】
また、本実施形態において、認証専用のＵＲＬをバーコード１１に追加してテレビ１０に表示し、これを携帯電話機２０に取得させるとともに、セキュリティ認証が成功した場合に、直接個人認証専用のホームページへ携帯電話機２０をアクセスさせるようにすることもできる。
さらに、携帯電話機２０にあらかじめ認証専用のＵＲＬを記憶させておき、セキュリティ認証が成功した場合に、同様に直接アクセスさせるようにすることも可能である。
【００４４】
個人認証が成功すると、個人認証サーバ３２は、予約サーバ３１へこれを連絡し、予約サーバ３１は、予約画面を携帯電話機２０へ送信する（ステップ１８）。
携帯電話機２０は、予約情報（予約日時、予約人数等）を入力して、予約サーバ３１へ送信する（ステップ１９）。
【００４５】
また、ステップ１５〜ステップ１７の個人認証を、ステップ１８とステップ１９の間に行うようにすることも好ましい。このようにすれば、予約者は、予約ホームページにおいて、予約内容を参照し、実際に予約を行う場合にのみ個人認証を行えばよいので、予約を行わない場合には、個人認証を行う手間を省略することが可能となる。
さらに、セキュリティ認証及び個人認証に失敗した場合は、これを予約者に知らせるためのメッセージを携帯電話機２０に表示する。そして、再度バーコード１１の読み込みを促したり、個人認証ＩＤ及びパスワードの再入力を促したりすること等を行うことが好ましい。
【００４６】
携帯電話機２０から予約情報を受信した予約サーバ３１は、この予約情報にもとづいて、予約登録ＤＢ３１ａに仮予約の登録を行うとともに、携帯電話機２０及び携帯電話機４０に、仮予約の登録が行われたことを知らせるための仮予約メールを送信する（ステップ２０）。
これによって、予約者は、仮予約が正しく行われたことを把握することができ、予約先の管理者は、仮予約が行われたことを知ることができる。また、予約先の管理者は、予約者に電話などで連絡をとることによって、予約の確認を行うこともできる（ステップ２１）。
この仮予約メールの送信にあたり、予約サーバ３１は、メールサーバ３３に仮予約メールの送信を依頼するようにすることができる。
【００４７】
次に、予約先の管理者により、携帯電話機４０は、予約サーバ３１の予約ホームページにアクセスして（ステップ２２）、予約画面を受信し（ステップ２３）、仮予約が行われた予約に対して予約完了入力を行う（ステップ２４）。
この予約完了入力は、予約ホームページを介することなく、例えば、携帯電話機４０から仮予約メールに対する返信メールを予約サーバ３１に行うことによって、自動的に予約完了入力があったものとすることもできる。
予約完了入力があると、予約サーバ３１は、予約登録ＤＢ３１ａにおける対応する仮予約情報を予約完了として更新することにより、予約完了登録を行う。そして、予約サーバ３１は、メールサーバ３３を介して、携帯電話機２０及び携帯電話機４０へ予約完了メールを送信する（ステップ２５）。
【００４８】
なお、本実施形態において、予約者が、所定の期間や時間に、テレビを見ることができないような場合、テレビ番組の放送中に、予約サーバ３１が携帯電話機２０へ、バーコード１１が有する情報に相当する情報を送信することによって、携帯電話機２０がテレビ画面上に表示されたバーコード１１を読み込む場合と同様の効果を得ることが可能となる。
すなわち、携帯電話機２０は、送信されてきたバーコード１１が有する情報に相当する情報から、セキュリティＩＤ及びＵＲＬを取得することによって、図２のステップ１２以降と同様の動作を実行することが可能となる。
【００４９】
予約サーバ３１から携帯電話機２０への上記バーコード１１が有する情報に相当する情報の送信は、番組視聴契約にもとづいて、予約者の電子メールアドレスや電話番号を予約サーバ３１に記録しておき、この電子メールアドレスや電話番号にもとづいて行うことができる。
また、個人認証サーバ３２における個人情報管理ＤＢ３２ａに予約者の電子メールアドレスや電話番号を登録しておき、予約サーバ３１が、個人認証サーバ３２からこの電子メールアドレス等を取得して、これにもとづき行うようにすることもできる。
【００５０】
以上説明したように、本実施形態の携帯電話機を用いた簡易予約システムによれば、バーコードに記録されているセキュリティＩＤを、バーコードリーダを内蔵した携帯電話機に登録されているセキュリティＩＤと照合することによって、予約に利用可能な携帯電話機を特定することができる。
このため、事前に利用登録のされた携帯電話機を用いて、特定の会員などからの予約のみを受け付けることが可能となり、セキュリティ効果の高い簡易予約システムを提供することが可能となる。
【００５１】
また、総合予約センタサーバが、バーコードリーダを内蔵した携帯電話機からの予約情報にもとづいて、仮予約メールを、バーコードリーダを内蔵した携帯電話機及び予約先の管理者の携帯電話機の双方に送信するとともに、予約先の管理者の携帯電話機からの予約完了入力にもとづいて、予約完了メールを、バーコードリーダを内蔵した携帯電話機及び予約先の管理者の携帯電話機の双方に送信することにより、予約の確実性を高めることが可能となる。
さらに、予約先の管理者は、携帯電話機を用いて予約の受付を行うことができるとともに、簡易予約システム自体は、総合予約センタサーバにおいて管理してもらうことができるため、ＩＴの導入が困難な予約先であっても、携帯電話機さえあれば、簡単にＩＴを導入することが可能となる。
【００５２】
加えて、バーコードリーダを内蔵した携帯電話機は、予約サーバから送信されてきたバーコードが有する情報に相当する情報に含まれるセキュリティＩＤによってセキュリティ認証を実行し、認証に成功した場合、その情報に含まれるＵＲＬにもとづいて、予約ホームページへアクセスすることが可能となる。
これによって、テレビ番組を見ることのできない状況であっても、上記バーコードが有する情報に相当する情報を携帯電話機に送信することにより、テレビ画面上に表示されたバーコードリーダを読み取る場合と同等の効果を得ることが可能となる。
【００５３】
上記の実施形態におけるセキュリティＩＤ及びＵＲＬの取得や、セキュリティ認証等は、携帯電話機を用いた簡易予約プログラム（以下、簡易予約プログラムと称する場合がある。）により実行される。
この簡易予約プログラムは、バーコードリーダを内蔵した携帯電話機におけるＣＰＵやメモリ等の各構成要素に指令を送り、所定の処理、例えば、セキュリティＩＤ及びＵＲＬの取得処理や、セキュリティ認証処理等を行わせる。
これによって、これらの処理は、簡易予約プログラムと上記各構成要素とが協働したバーコードリーダを内蔵した携帯電話機などにより実現される。
【００５４】
なお、簡易予約プログラムは、バーコードリーダを内蔵した携帯電話機のＲＯＭやハードディスクに記憶させる他、当該携帯電話機によって読み取り可能な記録媒体、たとえば、外部記憶装置及び可搬記録媒体等に格納することができる。
外部記憶装置とは、磁気ディスク等の記録媒体を内蔵し、例えばバーコードリーダを内蔵した携帯電話機などに外部接続される記憶増設装置をいう。一方、可搬記録媒体とは、記録媒体駆動装置（ドライブ装置）に装着でき、かつ、持ち運び可能な記録媒体であって、たとえば、ＣＤ−ＲＯＭ、フレキシブルディスク、メモリカード、光磁気ディスク等をいう。
【００５５】
そして、記録媒体に記録されたプログラムは、バーコードリーダを内蔵した携帯電話機のＲＡＭにロードされて、ＣＰＵにより実行される。この実行により、上述した本実施形態のバーコードリーダを内蔵した携帯電話機の機能が実現される。
さらに、バーコードリーダを内蔵した携帯電話機で簡易予約プログラムをロードする場合、他のコンピュータで保有された簡易予約プログラムを、通信回線を利用して自己の有するＲＡＭや外部記憶装置にダウンロードすることもできる。
このダウンロードされた簡易予約プログラムも、ＣＰＵにより実行され、セキュリティＩＤ及びＵＲＬの取得処理や、セキュリティ認証処理等を実現する。
【００５６】
なお、上記実施形態においては、バーコードを利用しているが、このバーコードの代わりに、それ以外の平面コードである二次元コードや二次元シンボル等を用いるようにすることも可能である。この場合、携帯電話機に備える平面コードリーダは、それらの平面コードを読み取り可能なリーダとすることとなる。
【００５７】
また、本発明は以上の実施形態に限定されるものではなく、本発明の範囲内において、種々の変更実施が可能であることは言うまでもない。
例えば、個人認証を実施するタイミングを予約者に提供する情報の内容に応じて調整するなど適宜設計変更できるものである。
【００５８】
【発明の効果】
以上のように、本発明によれば、平面コードに記録されているセキュリティＩＤを、平面コードリーダを内蔵した携帯電話機に登録されているセキュリティＩＤと照合することによって、予約に利用可能な携帯電話機を特定することができる。
このため、事前に利用登録のされた携帯電話機を用いて、特定の会員などからの予約のみを受け付けることが可能となり、セキュリティ効果の高い簡易予約システムを提供することが可能となる。
【００５９】
また、総合予約センタサーバが、平面コードリーダを内蔵した携帯電話機からの予約情報にもとづいて、仮予約メールを、平面コードリーダを内蔵した携帯電話機及び予約先の管理者の携帯電話機の双方に送信するとともに、予約先の管理者の携帯電話機からの予約完了入力にもとづいて、予約完了メールを、平面コードリーダを内蔵した携帯電話機及び予約先の管理者の携帯電話機の双方に送信することにより、予約の確実性を高めることが可能となる。
さらに、予約先の管理者は、携帯電話機を用いて予約の受付を行うことができるとともに、簡易予約システム自体は、総合予約センタサーバにおいて管理してもらうことができるため、ＩＴの導入が困難な予約先であっても、携帯電話機さえあれば、簡単にＩＴを導入することが可能となる。
【００６０】
加えて、平面コードリーダを内蔵した携帯電話機は、予約サーバから送信されてきた平面コードが有する情報に相当する情報に含まれるセキュリティＩＤによってセキュリティ認証を実行し、認証に成功した場合、その情報に含まれるＵＲＬにもとづいて、予約ホームページへアクセスすることが可能となる。
これによって、テレビ番組を見ることのできない状況であっても、上記平面コードが有する情報に相当する情報を携帯電話機に送信することにより、テレビ画面上に表示された平面コードリーダを読み取る場合と同等の効果を得ることが可能となる。
【００６１】
また、携帯電話機を用いた簡易予約プログラムは、平面コードリーダを内蔵した携帯電話機の制御部へ所定の指令を送ることにより、このセキュリティＩＤ及びＵＲＬの取得機能や、セキュリティ認証機能等を実現させることができる。
これによって、これらの機能等は、簡易予約プログラムと平面コードリーダを内蔵した携帯電話とが協働して実現することが可能である。
【図面の簡単な説明】
【図１】本発明の実施形態の携帯電話機を用いた簡易予約システムの構成を示すブロック図である。
【図２】本発明の実施形態の携帯電話機を用いた簡易予約システムにおける処理手順を示す動作手順図である。
【符号の説明】
１０  テレビ
１１  バーコード
２０  携帯電話（予約者保有）
２１  バーコードリーダ
３０  総合予約センタサーバ群
３１  予約サーバ
３１ａ  予約登録ＤＢ
３２  個人認証サーバ
３２ａ  個人情報管理ＤＢ
３３  メールサーバ
４０  携帯電話（予約先の管理者保有）
５０  基地局
６０  携帯電話センタ
７０  通信回線
【図１】
2004192149.tif 000003
【図２】
2004192149.tif 000004